(57)【要約】【課題】  優先度の高い一部の郵便物である優先ステッカーが貼付された郵便物に対して信頼性の高い処理を行うことによって全体の認識処理の信頼性を向上する郵便物読取区分機及び優先ステッカーの処理方法を提供する。【解決手段】  優先ステッカーが検知された場合（Ｓ１２のＹＥＳ）は、ＶＣＳ処理が必要であれば（Ｓ１３のＹＥＳ）、オフラインＯＣＲ又はＶＣＤ入力を行い（Ｓ１４）、信頼性を向上するためベリファイ処理を行う。このベリファイ処理の結果、エラーが無ければ（Ｓ１６のＮＯ）処理を終了する。一方、この処理の結果、エラーがあれば（Ｓ１６のＹＥＳ）、装置に対してエラーを通知する（Ｓ１７）。また、優先ステッカーが検知されない場合（Ｓ１２のＮＯ）は、ＶＣＳ処理が必要であれば（Ｓ１８のＹＥＳ）、オフラインＯＣＲ又はＶＣＤ入力を行い（Ｓ１９）、処理を終了する。【選択図】  図４
2007083156.tif 000002
【特許請求の範囲】
【請求項１】
郵便物を1枚ずつ取り出す取出部と、この取出部によって取り出された前記郵便物の画像を読み取る読取手段と、この読取手段で読み取られた画像から郵便物の配達区分情報を認識する認識手段と、この認識手段によって認識された配達区分情報に基づいて当該郵便物を区分集積する集積手段を備えた郵便物読取区分機であって、
前記読取手段で読み取られた画像から、ラベルを検知するラベル検知手段と、
このラベル検知手段で検知されたラベルが優先ステッカーであることを検知する優先ステッカー検知手段と、
前記優先ステッカー検知手段による検知の結果、前記ラベルが、優先ステッカーであるときに前記配達区分情報の確認処理を優先ステッカー処理手段と、
前記優先ステッカー検知手段による検知の結果、前記ラベルが、優先ステッカーでないときに通常処理する通常処理手段と、
を有することを特徴とする郵便物読取区分機。
【請求項２】
前記ラベル検知手段は、
前記ラベルの縦サイズ及び横サイズを含む形状を検知し、
前記優先ステッカー検知手段は、
所定の背景色を検知する背景色検知手段と、
この背景色に印字された優先ステッカーの種類を示す符号を検知する符号検知手段と、
を有することを特徴とする請求項１記載の郵便物読取区分機。
【請求項３】
郵便物を1枚ずつ取り出す取出部と、この取出部によって取り出された前記郵便物の画像を読み取る読取手段と、この読取手段で読み取られた画像から郵便物の配達区分情報を認識する認識手段と、この認識手段によって認識された配達区分情報に基づいて当該郵便物を区分集積する集積手段を備えた郵便物読取区分機の優先ステッカー処理方法であって、
前記読取手段で読み取られた画像から、さらに、ラベルを検知するラベル検知工程と、
このラベル検知工程で検知されたラベルが優先ステッカーであることを検知する優先ステッカー検知工程と、
前記優先ステッカー検知工程による検知の結果、前記ラベルが、優先ステッカーであるときに前記配達区分情報の確認を行う優先ステッカー処理工程と、
前記優先ステッカー検知工程による検知の結果、前記ラベルが、優先ステッカーでないときに通常処理する通常処理工程と、
を有することを特徴とする郵便物読取区分機の優先ステッカー処理方法。
【請求項４】
前記優先ステッカー処理工程は、
前記配達区分情報が前記認識手段によって認識できないときに、前記配達区分情報を生成して入力するビデオコーディングシステム処理の要否を判別するビデオコーディングシステム処理要否判別工程と、
このビデオコーティングシステム要否判別工程の結果、前記ビデオコーディングシステム処理が必要な場合は、オフラインＯＣＲ又はビデオコーディング端末によって前記配達区分情報を生成する工程と、
この配達区分情報を生成する工程終了後、生成された当該配達区分情報を確認するベリファイ処理工程と、
このベリファイ処理工程による照合の結果、エラーが発生した場合には、このエラーを通知するエラー通知工程と、
を有することを特徴とする請求項３記載の郵便物読取区分機の優先ステッカー処理方法。
【請求項５】
前記通常処理工程は、
前記配達区分情報が前記認識手段によって認識できないときに、前記配達区分情報を生成して入力するビデオコーティングシステム処理の要否を判別するビデオコーティングシステム処理要否判別工程と、
このビデオコーティングシステム要否判別工程の結果、前記ビデオコーディングシステム処理が必要な場合は、オフラインＯＣＲ又はビデオコーディング端末によって前記配達区分情報を生成する工程と、
を有し、前記ベリファイ処理工程及びエラー通知工程を使用しないことを特徴とする請求項３記載の郵便物読取区分機の優先ステッカー処理方法。
【発明の詳細な説明】
【技術分野】
【０００１】
本発明は、郵便物などの配達区分情報を認識して区分処理する郵便物読取区分機に関し、特に、優先ステッカーが貼り付けられている郵便物を区分処理する郵便物読取区分機及び優先ステッカー処理方法に関する。
【背景技術】
【０００２】
郵便物を区分する郵便物読取区分機では、郵便物の住所あるいは郵便番号の画像をスキャナ部で読み取り、この読み取った画像を認識部で認識した住所あるいは郵便番号からなる配達区分情報に基づき郵便物を区分集積している。以下、上記スキャナ部と認識部の処理をひっくるめてＯＣＲ処理と称する。
【０００３】
また、この郵便物読取区分機において、郵便物の住所あるいは郵便番号が読み取れなかったとき、当該郵便物の読取画像は、ビデオコーディングシステム（以下、ＶＣＳと称する）に送信され、このＶＣＳの蓄積分配装置に蓄積される。この蓄積分配装置は、受信した読取画像をビデオコーディング端末（以下、ＶＣＤと称する）に分配する。このＶＣＤを操作するオペレータは、ＶＣＤに分配された読取画像を目視しながら住所あるいは郵便番号からなる配達区分情報を入力（打鍵）する。上記郵便物読取区分機は、この入力された配達区分情報によって郵便物を区分処理している。
【０００４】
一方、優先ステッカーに類するものとして、書留郵便や小包郵便があり、これら書留郵便や小包郵便などの受託配送物品を区分する方法として当該書留郵便や小包郵便に対して無線通信機能を有するＲＦＩＤラベルを受付員が貼り付けて管理する方法が知られている（例えば、特許文献１参照。）。
【特許文献１】特開平１１−１７５６２１号公報  （第１頁、図１）
【発明の開示】
【発明が解決しようとする課題】
【０００５】
しかしながら、上述したＯＣＲ処理で認識完了せずに、ＶＣＳ処理が必要になった郵便物の場合、複数のＶＣＤ端末に当該郵便物の読取画像を分配し、オペレータが配達区分情報を入力しているが、オペレータが入力間違いをする場合がある。郵便物読取区分機では、これを防止するために、複数のオペレータが同一郵便物に対して複数のＶＣＤ端末から入力し、多数決によって配達区分情報を決定する機能が備えられているが、非効率であるため、利用されることが少なかった。
【０００６】
また、海外の郵便物などでは、郵便物の左下のエリアにあて先が存在する場合があり、郵便物読取区分機があて先と差出人の判断を間違えてしまうことがあった。
【０００７】
さらに、特許文献１記載の方法は、ＲＦＩＤのタグを郵便物に貼り付ける方法であり、貼り付ける作業を人手によって行わなければならないという欠点がある。
【０００８】
本発明は、上記問題を解決するためになされたもので、優先ステッカーが貼り付けられた郵便物に対して信頼性の高い処理を行うことによって、全体の認識処理の信頼性を向上する郵便物読取区分機及び優先ステッカー処理方法を提供することを目的とする。
【課題を解決するための手段】
【０００９】
上記目的を達成するために、本発明の請求項１記載の郵便物読取区分機は、郵便物を1枚ずつ取り出す取出部と、この取出部によって取り出された前記郵便物の画像を読み取る読取手段と、この読取手段で読み取られた画像から郵便物の配達区分情報を認識する認識手段と、この認識手段によって認識された配達区分情報に基づいて当該郵便物を区分集積する集積手段を備えた郵便物読取区分機であって、前記読取手段で読み取られた画像から、ラベルを検知するラベル検知手段と、このラベル検知手段で検知されたラベルが優先ステッカーであることを検知する優先ステッカー検知手段と、前記優先ステッカー検知手段による検知の結果、前記ラベルが、優先ステッカーであるときに前記配達区分情報の確認処理を優先ステッカー処理手段と、前記優先ステッカー検知手段による検知の結果、前記ラベルが、優先ステッカーでないときに通常処理する通常処理手段と、を有することを特徴とする。
【００１０】
また、本発明の請求項３記載の優先ステッカー処理方法は、郵便物を1枚ずつ取り出す取出部と、この取出部によって取り出された前記郵便物の画像を読み取る読取手段と、この読取手段で読み取られた画像から郵便物の配達区分情報を認識する認識手段と、この認識手段によって認識された配達区分情報に基づいて当該郵便物を区分集積する集積手段を備えた郵便物読取区分機の優先ステッカー処理方法であって、前記読取手段で読み取られた画像から、さらに、ラベルを検知するラベル検知工程と、このラベル検知工程で検知されたラベルが優先ステッカーであることを検知する優先ステッカー検知工程と、前記優先ステッカー検知工程による検知の結果、前記ラベルが、優先ステッカーであるときに前記配達区分情報の確認を行う優先ステッカー処理工程と、前記優先ステッカー検知工程による検知の結果、前記ラベルが、優先ステッカーでないときに通常処理する通常処理工程と、を有することを特徴とする。
【発明の効果】
【００１１】
本発明によれば、全ての郵便物の認識処理の信頼性向上は非効率なので、優先度の高い郵便物である優先ステッカーが貼り付けられた郵便物に対して信頼性の高い処理を行うことによって全体の認識処理の信頼性を向上することができる。
【発明を実施するための最良の形態】
【００１２】
以下、図面を参照して本発明の実施例を説明する。
【実施例】
【００１３】
図１は、本発明の実施例による郵便物読取区分機の構成図である。この郵便物読取区分機は、郵便物Ｐの配達区分情報（文字情報）を認識して区分する読取区分機本体１、この読取区分機本体１にて配達区分先が認識できなかった郵便物Ｐの配達区分情報をこの郵便物Ｐの画像に基づいてオペレータが入力するビデオコーディングシステム（コーディング装置（以下、ＶＣＳと称する）２から構成されている。
【００１４】
まず、読取区分機本体１について説明する。図１に示すように、読取区分機本体１は、搬送区分機本体１ａを有している。この搬送区分機本体１ａには、第１面に配達区分情報としての数字や文字などが書き込まれ或いは印刷された複数の郵便物Ｐを、この第１面が同一方向を向くように揃えて立位で収容するとともに、これらの郵便物Ｐを所定の取出位置へ順次供給する供給部１０を備えている。この供給部１０には、郵便物Ｐを主搬送路１７に沿って所定の間隔で１通ずつ取り出す取出部（図示しない）が配置されている。
【００１５】
上記供給部１０に供給される郵便物Ｐには、その第１面に配達区分情報に対応した文字のみが記載されたもの以外に、機械コードとして大口の配達区分先に予め決められているカスタマコードや郵便物Ｐの配達区分先に対応して読取区分機本体１内で決められる局内バーコード、又は認識部１５（認識手段）にて配達区分情報の認識が不能となった郵便物Ｐに付与されるＩＤコードなどが記載されたものがある。なお、これらの各コードは、バーコード化した情報として郵便物Ｐの第１面に付与されるものである。さらに、本実施例では、優先ステッカーが貼り付けられている。
【００１６】
上記供給部１０に供給されている郵便物Ｐは、一定間隔で取り出されて、一定速度で搬送する主搬送路１７により一定の搬送間隔（ピッチ）で搬送される。主搬送路１７上を搬送される郵便物Ｐは、機械処理が不可能な異物の場合には排除され、機械処理が可能な郵便物Ｐのみが搬送される。
【００１７】
主搬送路１７上には、スキャナ部（読取手段）１１、ＩＤコード読取部１２、バーコードプリンタ部１３、及び区分部１４が設けられている。上記スキャナ部１１は、主搬送路１７上の郵便物Ｐの配達区分情報及び優先ステッカーが貼り付けられている面を読み取り、その読み取った画像を画像バッファ（記憶手段）１９に送信する。そして、この画像は配達区分情報及び優先ステッカーを認識する認識部（認識手段）１５へ送信される。上記ＩＤコード読取部１２は、主搬送路１７上を搬送される郵便物Ｐの第１面にＩＤコードあるいは機械コードが付与されている場合に、そのＩＤコード、あるいは機械コードを読み取るものである。
【００１８】
上記バーコードプリンタ部１３は、必要に応じて郵便物Ｐの第１面にＩＤコード、あるいは機械コードを印刷するものである。これは、認識部１５によって配達区分情報が認識できた場合に、その配達区分情報をバーコード化して郵便物上に機械コードを印刷し、認識部１５によって配達区分情報が認識できなかった場合に、ＩＤコードを印刷するものである。
【００１９】
このバーコードプリンタ部１３の郵便物の搬送方向下流側には、主搬送路１７上を搬送されてきた郵便物Ｐが配達区分先に応じて区分される区分部１４が設けられている。この区分部１４は、複数の段、複数の列に区画された複数の区分ポケットから構成されている。各ポケットは、配達区分先ごとに対応して設定されており、配達区分情報あるいは機械コードに基づいて区分された郵便物Ｐを各ポケットに順次集積する。また、区分部１４には、配達区分先が認識できなかった郵便物Ｐが集積されるＶＣＳ排除ポケット（ＶＣＳリジェクト区分箱）が設けられている。このＶＣＳ排除ポケットに集積された郵便物Ｐは、オペレータにより配達区分情報がＶＣＳ２にて入力された後に、供給部１０に再供給されるようになっている。
【００２０】
また、図１に示すように、上記読取区分機本体１の各部は、制御部１６によって制御される。この制御部１６には、供給部１０，スキャナ部１１、ＩＤコード読取部１２、バーコードプリンタ部１３、区分部１４、認識部１５、及び画像バッファ１９などが接続されている。
【００２１】
スキャナ部１１は、郵便物の配達区分情報が記載されている第１面を光学的に読み取った画像を画像バッファ１９に送信する。なお、この画像には、上述してように優先ステッカーが貼り付けられている場合にはその画像も送信される。
【００２２】
上記認識部１５は、制御部１６によって制御されて画像バッファ１９に順次記憶された上記画像から配達区分情報となる文字を切り出して文字認識を行い、図示しない文字辞書及び住所辞書と比較してマッチング法などによって配達区分情報の認識を行う。この認識可否は、制御部１６へ返信されるようになっている。
【００２３】
また、認識部１５は、配達区分情報が認識できなかった場合、読取画像に付帯するＯＣＲ情報（付帯情報）、すなわち郵便物の大きさ、文字の大きさ、文字の向き、配達区分情報の表記方法、文字種、認識深度、及びＶＣＳ処理が必要な箇所を示す情報からなる画像ヘッダを作成する手段を有する。
【００２４】
さらに、認識部１５は、前記画像バッファ１９に順次記憶された上記画像から特定のラベルを検知するラベル検知手段、このラベル検知手段で検知されたラベルが優先ステッカーであるか否かを判別する優先ステッカー検知手段、及び当該郵便物に優先ステッカーが貼り付けられているときに、当該郵便物の配達区分情報の確認を行う優先ステッカー処理手段を有する。
【００２５】
次に、ＶＣＳ２について説明する。図１に示すように、ＶＣＳ２は、蓄積分配装置２０及び複数のビデオコーディング端末（以下、ＶＣＤと称する）３０Ａ、３０Ｂ・・３０Ｂ、及び認識部５０から構成される。
【００２６】
上記蓄積分配装置２０は、認識部１５で認識できなかった郵便物Ｐの画像ヘッダ及び読取画像をリジェクトデータ制御部１８から受信し、当該郵便物Ｐの読取画像を認識し、郵便番号エリア候補及び住所エリア候補を検出する。
【００２７】
ＶＣＤ３０Ａ、３０Ｂ・・・３０Ｂは、蓄積分配装置２０から分配される郵便物Ｐの上記郵便番号エリア候補及び住所エリア候補で示されたエリアの読取画像を表示部３３に表示することができる。また、この表示された画像に基づいてオペレータが区分先を示す情報を入力することができる。なお、このＶＣＤからの入力処理は、本実施例の郵便物Ｐに優先ステッカーが貼り付けられているかいないに関わらず配達区分情報を補完する基本的な処理として実行される。
【００２８】
上記蓄積分配装置２０は、メモリ制御部２１、大容量記憶装置２２、画像メモリ２３、ビデオ分配制御部２４、タイミング制御部２５、入出力制御部２７及び専用認識部２８から構成される。
【００２９】
上記メモリ制御部２１は、読取区分機本体１（読取装置）から送信される認識できなかった郵便物Ｐの画像ヘッダ及び読取画像からなる処理データを受信し大容量記憶装置（蓄積手段）２２に記憶するものである。
【００３０】
上記大容量記憶装置２２は、ハードディスクドライブ（ＨＤＤ）などで構成され、上記メモリ制御部２１の制御に基づいて読取区分機本体１から受信した画像ヘッダ及び読取画像からなる処理データを記憶する。この大容量記憶装置２２に記憶された処理データは、メモリ制御部２１からの送信要求に応じて画像メモリ２３上に読み出される。
【００３１】
専用認識部（検出手段）２８は、この大容量記憶装置２２に記憶された処理データの読取画像を認識することによって、郵便番号エリア候補及び住所エリア候補を検出する。これらの検出されたエリア候補は、画像ヘッダに付加される。
【００３２】
認識部（オフラインＯＣＲ）５０は、自動ＶＣ（ビデオコーディング）とも言われ、認識部１５では、郵便物の搬送処理中に認識するため、時間制限を設けて認識処理を行うのに対し、ここでは、時間の制限を外して認識処理を行うオフライン処理であるため認識精度が上がり、認識部１５で認識できなかった郵便物が認識できる場合がある。
【００３３】
ここで、上記処理データについて説明する。処理データは上述したように画像ヘッダ及び読取画像を有している。画像ヘッダは、郵便物Pの認識できなかった読取画像に付与した画像ＩＤ、郵便番号エリア候補の開始位置・サイズ、住所エリア候補の開始位置・サイズ、読取画像を圧縮して用いる場合はその圧縮パラメータなどを有している。読取画像は上述したように送信効率を上げるために圧縮画像が用いられる場合が多いが圧縮の内容が本発明の主旨とするところではないので詳細な説明は省略し、ここでは読取画像の名称を用いている。
【００３４】
上記ビデオ分配制御部２４は、メモリ制御部２１及びタイミング制御部２５と接続されている。このビデオ分配制御部２４は、各ＶＣＤ３０Ａ、３０Ｂ・・・３０Ｂから送信されてくる分配要求に従って作成される分配要求テーブル（図示しない）の内容に基づいて処理データの送信先（分配先）のＶＣＤ３０Ａ、３０Ｂ・・・３０Ｂを判断する。すなわち、ビデオ分配制御部２４は、分配要求テーブルによりコーディング（区分先の打鍵入力）可能である。また、処理データの入力待ちとなっているＶＣＤ３０Ａ、３０Ｂ・・・３０Ｂを判断し、メモリ制御部２１を制御することにより優先分配処理手段（後述する）及び入力維持手段（後述する）に基づいて各ＶＣＤ３０Ａ、３０Ｂ・・・３０Ｂに処理データを送信する。
【００３５】
また、各ＶＣＤ３０Ａ、３０Ｂ・・・３０Ｂで入力されたコーディング情報は、入出力制御部２７により受信される。入出力制御部２７は、各ＶＣＤ３０Ａ、３０Ｂ・・３０Ｂから受信したコーディング情報をタイミング制御部２５を介して読取区分機本体１の制御部１６に送信する。
【００３６】
上記ＶＣＤ３０Ａ、３０Ｂ・・・３０Ｂは、制御部３１、記憶部３２、表示部３３及び入力部３４などを有している。制御部３１は、各ＶＣＤ３０Ａ、３０Ｂ・・・３０Ｂの全体を制御し、また、蓄積分配装置２０からの郵便物Ｐに対する処理データを受信し、入力部３４による入力結果（コーディング情報）を上記入出力制御部２７へ送信する機能を有している。
【００３７】
上記記憶部３２は、蓄積分配装置２０から供給された郵便物Ｐの処理データを記憶する。この記憶部３２では、現在（先に）コーディング処理中の画像や次にコーディング処理する画像などの複数の処理データを記憶できるようになっている。
【００３８】
図２は、本実施例で用いられる郵便物Pの形態を説明する図である。図示した郵便物Pには、通常宛先Ｐ０１及び差出人Ｐ０２が記載されており、郵便物の種類、及び宛先によって決まる切手などの料額印Ｐ０３が貼り付けられている。図示した例は、さらにこの料額印の近傍に優先ステッカーＰ０４が貼り付けられた状態を示す。
【００３９】
この優先ステッカーＰ０４は、背景色が赤色などの目立つ色で印刷されており、さらに優先ステッカーの種類を区別する符号が印字又は記入されている場合もある。図示した例ではこの符号として「優先１」が印字されている場合を示す。
【００４０】
図3は、優先ステッカーを検知する優先ステッカー検知手段を説明するフローチャートである。最初に、ラベル検知手段として、スキャナ部１１によって読み取られた読取画像の中に、所定のサイズのラベルがあるか検知する（ラベル検知工程、Ｓ０１）。
【００４１】
この検知の結果、ラベルが検知された場合（Ｓ０１のＹＥＳ）、検知されたラベルが未チェックのラベルがあるかどうか検査する（Ｓ０２）。ラベルが検知されない場合（Ｓ０１のＮＯ）は、通常処理工程に移行する（Ｓ０５）。
【００４２】
この検査の結果、未チェックラベルの場合（Ｓ０２のＹＥＳ）、検知されたラベルが優先ステッカーであるかどうか検知する（優先ステッカー検知工程Ｓ０３）。未チェックラベルがない場合は（Ｓ０２のＮＯ）、通常処理工程に移行する（Ｓ０５）。
【００４３】
本実施例では、優先ステッカーの背景色として視認性のよい「赤色」が用いられ、優先ステッカーの種類を示す符号として「優先１」が用いられている。
【００４４】
この背景色検知は、カラーセンサで構成されたスキャナ部１１の赤成分を抽出したラベル画像が、指定された色成分であるか背景色検知手段によって検知される。
【００４５】
さらにラベルに印字されている優先ステッカーの種類を示す符号が指定された種類のものであるか符号検知手段によって検知される。この符号検知は、上述した認識部１５によって行われる。
【００４６】
検知されたラベルが優先ステッカーでない場合（Ｓ０３のＮＯ）、最初にもどって他のラベルがあるかどうか検査し、同様の工程を繰り返す（Ｓ０１〜Ｓ０３のＮＯ）。この検査の結果、ラベルが検知されないとき（Ｓ０１のＮＯ）、又は、検知されたラベルがすでに検査済みのラベルで、未チェックラベルがないとき（Ｓ０２のＮＯ）、区分機は郵便物Ｐに対する通常処理に移る（Ｓ０５）。
【００４７】
一方、ステップＳ０３において、優先ステッカーが検知され場合（Ｓ０３のＹＥＳ）、区分機は、優先ステッカー処理工程Ｓ０４に移る。
【００４８】
図４は、優先ステッカーが貼り付けてある場合の優先ステッカー処理工程及び通常処理工程を説明するフローチャートである。最初に郵便物ＰのＯＣＲ処理を行う（Ｓ１１）。
【００４９】
次に、図３に示す優先ステッカー検知手段の結果、優先ステッカーが検知された場合は（Ｓ１２のＹＥＳ）、ビデオコーディングシステム処理の要否判別工程として、ＶＣＳ処理が必要かどうか判別する（Ｓ１３）。この判別の結果、ＶＣＳ処理が必要であれば（Ｓ１３のＹＥＳ）、配達区分情報を生成する工程として、オフラインＯＣＲ処理又はＶＣＤ入力が行われる（Ｓ１４）。なお、この判別の結果、ＶＣＳ処理が必要ない場合には、配達区分先が記入されているため、下記に説明するベリファイ処理工程に移行する。
【００５０】
ステップＳ１４の結果、生成された配達区分情報が正しいかベリファイ処理工程で確認される（Ｓ１５）。
【００５１】
このベリファイ処理工程の結果、エラーが無ければ（Ｓ１６のＮＯ）処理を終了する。一方、このベリファイ処理工程の結果、エラーがあれば（Ｓ１６のＹＥＳ）、装置に対してエラーを通知する（Ｓ１７）。エラー通知を受けた当該郵便物Ｐは、リジェクトスタッカーに収納される。
【００５２】
ステップＳ１２において、優先ステッカーが検知されない場合（Ｓ１２のＮＯ）は、ＶＣＳ処理が必要かどうか判別し、ＶＣＳ処理が必要であれば（Ｓ１８のＹＥＳ）、配達区分情報を生成する工程としてオフラインＯＣＲ処理又はＶＣＤ入力が行われる（Ｓ１９）。なお、この判別の結果、ＶＣＳ処理が必要ない場合には配達区分先が記入されているため、処理を終了する。
【００５３】
以上の説明において、優先ステッカーがある場合には、誤配達による遅配を防ぐために、ベリファイ処理を行うが、優先ステッカーが無い場合には、優先度を下げた処理とするためにベリファイ処理を行わない。
【００５４】
以上述べたように本発明によれば、郵便物に優先ステッカーが貼り付けられていた場合、区分機のＯＣＲ処理によってこの優先ステッカーが検知された場合、ＶＣＳ処理の要否に関わらずベリファイ処理を行うことによって、優先度の高い郵便物に対して信頼性の高い処理を行うことができる。このことによって、優先度の高い郵便物に対する誤配による遅配を効率的に防止できるために、区分機全体の認識処理の信頼性を向上することができる。
【図面の簡単な説明】
【００５５】
【図１】本発明の実施例による郵便物読取区分機の構成図。
【図２】本実施例で用いられる郵便物の形態。
【図３】優先ステッカー検知手段を説明するフローチャート。
【図４】優先ステッカー処理工程及び通常処理工程を説明するフローチャート。
【符号の説明】
【００５６】
Ｐ  郵便物
１ａ  搬送区分機本体
１０  供給部
１１  スキャナ部
１２  IDコード読取部
１３  バーコードプリンタ部
１４  区分部
１５  認識部
１６  制御部
１７  主搬送路
１８  リジェクトデータ制御部
１９  画像バッファ
２  ビデオコーディングシステム
２０  蓄積分配装置
２１  メモリ制御部
２２  大容量記憶装置
２３  画像メモリ
２８  専用認識部
３０  ビデオコーディング端末
３３  表示部
３４  入力部
【図１】
2007083156.tif 000003
【図２】
2007083156.tif 000004
【図３】
2007083156.tif 000005
【図４】
2007083156.tif 000006